(57)【要約】【課題】ＩＤチップ表面のサビまたは汚れにより、制御基板とＩＤチップの間で正しくデータやりとりができない状況下において、制御基板とＩＤチップの間でデータやり取りができる状態なのか否か、または、やりとりができても、やりとりしたデータそのものが正常であるか否かを判断できるインクジェット記録装置を提供する。【解決手段】検出物３０を備えたインクカートリッジ８と、検出物３０を検出する検出手段と、検出手段と制御基板２０間の通信手段と、ユーザへの通知手段と、通信手段が確立しているかを判定し、制御する制御手段と、を有する。【選択図】図５
2014108520.tif 000002
【特許請求の範囲】
【請求項１】
検出物を備えたインクカートリッジと、
前記検出物を検出する検出手段と、
該検出手段と制御基板間の通信手段と、
ユーザへの通知手段と、
前記通信手段が確立しているかを判定し、制御する制御手段と、
を有することを特徴とするインクジェット記録装置。
【請求項２】
前記制御手段は、色情報を同時に読み出し、前記通知手段に未検出または異常の発生しているインクカートリッジの色を表示することを特徴とする請求項１記載のインクジェット記録装置。
【請求項３】
前記制御基板は、ＬＡＮ Ｉ／Ｆを備えたことを特徴とする請求項１または２記載のインクジェット記録装置。
【請求項４】
前記制御基板は、ＵＳＢ Ｉ／Ｆ備えたことを特徴とする請求項１または２記載のインクジェット記録装置。
【請求項５】
前記制御基板は、ＩＥＥＥ802.11による通信手段を備えたことを特徴とする請求項１または２記載のインクジェット記録装置。
【発明の詳細な説明】
【技術分野】
【０００１】
本発明は、インクカートリッジを備えるインクジェット記録装置に関する。
【背景技術】
【０００２】
従来からインクカートリッジ外箱に部材を取り付け、インクカートリッジが装着される収容室側には光学センサを取り付け両者を用いて、インクカートリッジが正しく装着されているか否かを判断する技術が既に知られている。
【０００３】
特許文献１には、装着不良状態のままで画像記録動作などの次順の処理を実行することを防止する目的で、インクカートリッジに突起物を、カートリッジが挿される本体側に光学センサを各々設け、これらでインクカートリッジが収容室に挿されているか挿されていないかの装着状態を検出するという方法が開示されている。
【発明の概要】
【発明が解決しようとする課題】
【０００４】
しかし、従来技術や特許文献１に開示された技術は、光学センサでインクカートリッジが収容室に装着されているか否かを検出できても、ＩＤチップ表面のサビ・汚れにより制御基板（ＣＴＬ）とＩＤチップの間で正しくデータやりとりができない状況下において、制御基板とＩＤチップの間でデータやり取りができる状態なのか否か、または、やりとりができても、やりとりしたデータそのものが正常であるか否かを判断することはできないという問題があった。
【０００５】
本発明は、前記課題を解決するためのものであり、その目的とするところは、ＩＤチップ表面のサビまたは汚れにより、制御基板とＩＤチップの間で正しくデータやりとりができない状況下において、制御基板とＩＤチップの間でデータやり取りができる状態なのか否か、または、やりとりができても、やりとりしたデータそのものが正常であるか否かを判断できるインクジェット記録装置を提供することである。
【課題を解決するための手段】
【０００６】
かかる目的を達成するために、本発明は、以下の特徴を有する。
【０００７】
本発明に係るインクジェット記録装置は、検出物を備えたインクカートリッジと、前記検出物を検出する検出手段と、該検出手段と制御基板間の通信手段と、ユーザへの通知手段と、前記通信手段が確立しているかを判定し、制御する制御手段と、を有することを特徴とする。
【発明の効果】
【０００８】
本発明によれば、ＩＤチップ表面のサビまたは汚れにより、制御基板とＩＤチップの間で正しくデータやりとりができない状況下において、制御基板とＩＤチップの間でデータやり取りができる状態なのか否か、または、やりとりができても、やりとりしたデータそのものが正常であるか否かを判断できる。
【図面の簡単な説明】
【０００９】
【図１】本実施形態に係るインクジェット記録装置の構成を示す図である。
【図２】本実施形態に係るインクジェット記録装置の前面外観を示す図である。
【図３】本実施形態に係るインクカートリッジの斜視図である。
【図４】本実施形態に係るＩＤチップを示す図である。
【図５】本実施形態に係るインクカートリッジ接続部の詳細を示す図である。
【図６】本実施形態に係るＩＤチップ、制御基板、操作部ＬＣＤの回路構成を示す図である。
【図７】本実施形態に係る検出フロー図である。
【図８】本実施形態に係る検出フロー図である。
【図９】本実施形態に係る検出フロー図である。
【図１０】ＬＡＮ Ｉ／Ｆ備えたインクジェット記録装置のブロック図である。
【図１１】ＵＳＢ Ｉ／Ｆ備えたインクジェット記録装置のブロック図である。
【図１２】ＩＥＥＥ802.11による通信手段を備えたインクジェット記録装置のブロック図である。
【発明を実施するための形態】
【００１０】
以下、本実施形態について図面により詳細に説明する。
【００１１】
図１は、本実施形態に係るインクジェット記録装置の構成を示す図である。キャリッジ１はガイドロット２で保持されて、主走査モータ３との間に渡されたプーリー４を介して主走査方向に走査する。このキャリッジには、例えば、イエロー（Ｙ）、シアン（Ｃ）、マゼンタ（Ｍ）、ブラック（Ｋ）の各色のインク滴を吐出する記録ヘッド９が搭載されていて、記録ヘッドに配列されたインク吐出ノズル１０からインクを吐出できる。
【００１２】
キャリッジ１を主走査方向に移動させながら必要な位置でインク滴を吐出することによって記録媒体上に画像を形成する。キャリッジ１の位置情報は、筐体に固定されたエンコーダシート５に等間隔で記録されたパターンを、キャリッジ１に固定されたエンコーダセンサ６で移動しながら読み取ってカウントを加算／減算することで得ることができる。
【００１３】
このような主走査方向のキャリッジ移動とインク吐出動作を１回行うことで、ノズル列の長さと同じ幅のバンドに対して画像を形成することができ、１バンド分の画像形成が終了したら副走査モータ７を駆動して記録媒体を副走査方向に移動させて、再度１バンド分の画像形成動作をさせるように繰り返せば、記録媒体の任意の場所に画像を形成することができる。
【００１４】
記録ヘッド９とインクカートリッジ８は、チューブ１３により繋がっており、インクカートリッジ８からチューブ１３を通して記録ヘッド９へインクの送り出しが可能である。
【００１５】
図２は、本実施形態に係るインクジェット記録装置の前面外観を示す図である。インクジェット記録装置前面には操作部ＬＣＤ１４が備えられており、これは文字表示が可能である。ユーザに対してインクジェット記録装置の状態を通知できる。
【００１６】
インクカートリッジ８はブラックインクカートリッジ１６、シアンインクカートリッジ１７、マゼンダインクカートリッジ１８、イエローインクカートリッジ１９を備えている。また、制御基板２０はインクジェット記録装置全体を制御する。制御基板２０とインクカートリッジ８は、ハーネス２１により接続されている。
【００１７】
図３は、本実施形態に係るインクカートリッジの斜視図である。ここでは、ブラックインクカートリッジ１６について説明する。インクカートリッジ１６は、ＩＤチップ３１と光センサの光をさえぎるための突起物３０とを備えている。他のインクカートリッジ１７〜１９も同一の構成である。
【００１８】
インク送出部３２は前述のチューブ１３が差し込まれ、インクの送り出しを行う口となる。電極３３はＩＤチップ３１に備えられ、前述のハーネス２１を経由して、前述の制御基板２０とデータのやり取りを行う。
【００１９】
図４は、本実施形態に係るＩＤチップ３１を示す図である。ＩＤチップ３１にはＥＥＰＲＯＭ３５が実装されており、ハーネス２１を介して制御基板２０との通信でやりとりをしたデータが書き込まれる。書き込まれるデータには、例えば、インクカートリッジ１６〜１９のインク残量、色情報、製造ナンバーなどがある。
【００２０】
図５は、本実施形態に係るインクカートリッジ接続部の詳細を示す図である。ここでは、ブラックインクカートリッジ１６について説明する。他のインクカートリッジ１７〜１９も同様であり、説明を省略する。インクカートリッジ１６がインクカートリッジ８に対して挿入される。
【００２１】
インクカートリッジ１６の突起物３０は、インクカートリッジ収容器８の開口部２２に入り込むレイアウトとなる。この時、光センサ４０の光が遮られ、光センサ４０のデータはハーネス４１を通して、前述の制御基板２０に送られる。
【００２２】
図６は、本実施形態に係るＩＤチップ３１、制御基板２０、操作部ＬＣＤ１４の回路構成を示す図である。制御基板２０とＩＤチップ３１上のＥＥＰＲＯＭ３５との通信はＩ２Ｃ方式により実施される。一方、制御基板２０と操作部ＬＣＤ１４との通信方式は、任意である。
【００２３】
図７は、本実施形態に係る検出フロー図である。光センサ４０で突起物３０を検出したかどうかを判断する（ステップＳ１）。突起物３０を検出しない場合は（ステップＳ１、Ｎｏ）、操作部ＬＣＤにカートリッジを正しく装着することをユーザに促すメッセージを表示する（ステップＳ５）。
【００２４】
突起物３０が光センサ４０で検出できた場合に（ステップＳ１、Ｙｅｓ）、ＩＤチップ３１上のＥＥＰＲＯＭ３５のデータを読み出し実行し（ステップＳ２）、ＥＥＰＲＯＭ３５のデータを読み出せたかどうかを判断する（ステップＳ３）。読み出せなかった場合は（ステップＳ３、Ｎｏ）、インクカートリッジ１６の端子面３３が汚れておりデータ読み出しが不可だったと判断して、操作部ＬＣＤにインクカートリッジ１６の金属端子面３３を清掃することをユーザに促すメッセージを表示する（ステップＳ６）。
【００２５】
ＥＥＰＲＯＭ３５のデータを読み出せた場合は（ステップＳ３、Ｙｅｓ）、値が適切なものかどうかを判断する（ステップＳ４）。値が適切ではない場合（ステップＳ４、Ｎｏ）、操作部ＬＣＤ１４にカートリッジ異常があることをユーザに通知する表示を行う（ステップＳ７）。値が適切だった場合は（ステップＳ４、Ｙｅｓ）、操作部ＬＣＤ１４に印刷可能状態であることをユーザに通知する表示を行う（ステップＳ８）。
【００２６】
＜実施例２＞
図８は、本実施形態に係る検出フロー図である。光センサ４０で突起物３０を検出したかどうかを判断する（ステップＳ１）。突起物３０を検出しない場合は（ステップＳ１、Ｎｏ）、操作部ＬＣＤ１４にインクカートリッジを正しく装着することをユーザに促すメッセージを表示する（ステップＳ５）。
【００２７】
突起物３０が光センサ４０で検出できた場合に（ステップＳ１、Ｙｅｓ）、ＩＤチップ３１上のＥＥＰＲＯＭ３５のデータを読み出し実行し（ステップＳ２）、ＥＥＰＲＯＭ３５のデータを読み出せたかどうかを判断する（ステップＳ３）。読み出せなかった場合は（ステップＳ３、Ｎｏ）、インクカートリッジ１６の端子面３３が汚れておりデータ読み出しが不可だったと判断して、操作部ＬＣＤ１４にカートリッジ１６の金属端子面３３を清掃することをユーザに促すメッセージを表示する（ステップＳ６）。
【００２８】
ＥＥＰＲＯＭ３５のデータを読み出せた場合は（ステップＳ３、Ｙｅｓ）、値が適切なものかどうかを判断する（ステップＳ４）。値が適切だった場合は（ステップＳ４、Ｙｅｓ）、操作部ＬＣＤ１４に印刷可能状態であることをユーザに通知する表示を行う（ステップＳ８）。
【００２９】
値が適切ではない場合（ステップＳ４、Ｎｏ）、異常のあった色情報が黒かどうかを判断する（ステップＳ１１）。黒だった場合は（ステップＳ１１、Ｙｅｓ）、操作部ＬＣＤ１４に、黒色カートリッジに異常があることをユーザに通知する表示を行う（ステップＳ１２）。
【００３０】
異常のあった色情報が黒ではない場合は（ステップＳ１１、Ｎｏ）、異常のあった色情報がシアンかどうかを判断する（ステップＳ１３）。シアンだった場合は（ステップＳ１３、Ｙｅｓ）、操作部ＬＣＤ１４に、シアン色カートリッジに異常があることをユーザに通知する表示を行う（ステップＳ１４）。
【００３１】
シアンではない場合は（ステップＳ１３、Ｎｏ）、異常のあった色情報がマゼンダかどうかを判断する（ステップＳ１５）。マゼンダだった場合は（ステップＳ１５、Ｙｅｓ）、操作部ＬＣＤ１４に、マゼンダ色カートリッジに異常があることをユーザに通知する表示を行う（ステップＳ１６）。
【００３２】
異常のあった色情報がマゼンダではない場合は（ステップＳ１５、Ｎｏ）、操作部ＬＣＤ１４に、イエロー色カートリッジに異常があることをユーザに通知する表示を行う（ステップＳ１７）。本実施形態によれば、ユーザに対して色を指定できるので、ユーザが色を迷うことなく対応できるという効果を有する。
【００３３】
＜実施例３＞
図９は、本実施形態に係るＬＡＮ Ｉ／Ｆを用いた検出フロー図である。光センサ４０で突起物３０を検出したかどうかを判断する（ステップＳ１）。突起物３０を検出しない場合は（ステップＳ１、Ｎｏ）、操作部ＬＣＤ１４とドライバモニタにインクカートリッジを正しく装着することをユーザに促すメッセージを表示する（ステップＳ２１）。
【００３４】
突起物３０が光センサ４０で検出できた場合に（ステップＳ１、Ｙｅｓ）、ＩＤチップ３１上のＥＥＰＲＯＭ３５のデータを読み出し実行し（ステップＳ２）、ＥＥＰＲＯＭ３５のデータを読み出せたかどうかを判断する（ステップＳ３）。読み出せなかった場合は（ステップＳ３、Ｎｏ）、インクカートリッジの端子面３３が汚れておりデータ読み出しが不可だったと判断して、操作部ＬＣＤ１４とドライバモニタにインクカートリッジ１６〜１９の金属端子面３３を清掃することをユーザに促すメッセージを表示する（ステップＳ２２）。
【００３５】
ＥＥＰＲＯＭ３５のデータを読み出せた場合は（ステップＳ３、Ｙｅｓ）、値が適切なものかどうかを判断する（ステップＳ４）。値が適切だった場合は（ステップＳ４、Ｙｅｓ）、操作部ＬＣＤ１４とドライバモニタに印刷可能状態であることをユーザに通知する表示を行う（ステップＳ２４）。
【００３６】
値が適切ではない場合（ステップＳ４、Ｎｏ）、異常のあった色情報が黒かどうかを判断する（ステップＳ１１）。黒だった場合は（ステップＳ１１、Ｙｅｓ）、操作部ＬＣＤ１４とドライバモニタに、黒色カートリッジに異常があることをユーザに通知する表示を行う（ステップＳ２５）。
【００３７】
異常のあった色情報が黒ではない場合は（ステップＳ１１、Ｎｏ）、異常のあった色情報がシアンかどうかを判断する（ステップＳ１３）。シアンだった場合は（ステップＳ１３、Ｙｅｓ）、操作部ＬＣＤ１４とドライバモニタに、シアン色カートリッジに異常があることをユーザに通知する表示を行う（ステップＳ２６）。
【００３８】
異常のあった色情報がシアンではない場合は（ステップＳ１３、Ｎｏ）、異常のあった色情報がマゼンダかどうかを判断する（ステップＳ１５）。マゼンダだった場合は（ステップＳ１５、Ｙｅｓ）、操作部ＬＣＤ１４とドライバモニタに、マゼンダ色カートリッジに異常があることをユーザに通知する表示を行う（ステップＳ２７）。
【００３９】
異常のあった色情報がマゼンダではない場合は（ステップＳ１５、Ｎｏ）、操作部ＬＣＤ１４とドライバモニタに、イエロー色カートリッジに異常があることをユーザに通知する表示を行う（ステップＳ２３）。
【００４０】
図１０は、ＬＡＮ Ｉ／Ｆ備えたインクジェット記録装置のブロック図である。制御基板２０は、ＣＰＵ５１と共にＥｔｈｅｒｎｅｔ（登録商標） ＰＨＹ５０を備えている。Ｅｔｈｅｒｎｅｔ ＰＨＹ５０とＣＰＵ５１は任意の方法で通信が可能になっている。プリンタドライバ５３がインストールされ、Ｎｅｔｗｏｒｋで接続されたＰＣ５２と制御基板２０は通信可能である。
【００４１】
図９の異常検出フローは図８と同様だが、最終的にユーザに伝える手段（具体的にはステップＳ２１〜２７）が操作部ＬＣＤ１４への表示だけではなく、前記Ｎｅｔｗｏｒｋを用いてプリンタドライバ５３をインストールしてあるＰＣ５２のドライバモニタへと表示する。
【００４２】
本実施形態によれば、インクジェット記録装置に対して離れた場所にいるユーザに対してもＮｅｔｗｏｒｋ経由でインクカートリッジの異常を知らせることができる効果を有する。
【００４３】
＜実施例４＞
図１１は、ＵＳＢ Ｉ／Ｆ備えたインクジェット記録装置のブロック図である。制御基板２０は、ＣＰＵ５１内部にＵＳＢ Ｆｕｎｃｔｉｏｎ５４を備えており、プリンタドライバ５３がインストールされ、ＵＳＢケーブルで接続されたＰＣ５２と制御基板２０はＵＳＢ通信が可能である。
【００４４】
図９の異常検出フローは図８と同様だが、最終的にユーザに伝える手段（具体的にはステップＳ２１〜２７）が操作部ＬＣＤ１４への表示だけではなく、前記ＵＳＢケーブルを用いてプリンタドライバ５３をインストールしてあるＰＣ５２のドライバモニタへと表示する。
【００４５】
本実施形態によれば、インクジェット記録装置に対して離れた場所にいるユーザに対してもＵＳＢケーブル経由でインクカートリッジの異常を知らせることができる効果を有する。
【００４６】
＜実施例５＞
図１２は、ＩＥＥＥ802.11による通信手段を備えたインクジェット記録装置のブロック図である。制御基板２０は、ＣＰＵ５１と共にＥｔｈｅｒｎｅｔ ＰＨＹ５０とＩＥＥＥ802.11モジュール５５を備えており、Ｅｔｈｅｒｎｅｔ ＰＨＹ５０とＣＰＵ５１とＩＥＥＥ802.11モジュール５５は任意の方法で通信が可能になっている。プリンタドライバ５３がインストールされ、ＩＥＥＥ802.11により接続されたＰＣ５２と制御基板２０は通信可能である。
【００４７】
図９の異常検出フローは図８と同様だが、最終的にユーザに伝える手段（具体的にはステップＳ２１〜２７）が操作部ＬＣＤ１４への表示だけではなく、前記ＩＥＥＥ802.11を用いてプリンタドライバ５３をインストールしてあるＰＣ５２のドライバモニタへと表示する。
【００４８】
本実施形態によれば、Ｎｅｔｗｏｒｋ環境の構築されていないユーザに対してもＩＥＥＥ801.11経由でインクカートリッジの異常を知らせることができる効果を有する。
【符号の説明】
【００４９】
８    インクカートリッジ
１４    操作部ＬＣＤ
２０    制御基板
２１    ハーネス
２２    開口部
３０    突起物
３１    ＩＤチップ
３５    ＥＥＰＲＯＭ
４０    光センサ
５０    Ｅｔｈｅｒｎｅｔ ＰＨＹ
５４    ＵＳＢ Ｆｕｎｃｔｉｏｎ
５５    ＩＥＥＥ802.11モジュール
【先行技術文献】
【特許文献】
【００５０】
【特許文献１】特開２０１０−２２８３７４号公報
【図１】
2014108520.tif 000003
【図２】
2014108520.tif 000004
【図３】
2014108520.tif 000005
【図４】
2014108520.tif 000006
【図５】
2014108520.tif 000007
【図６】
2014108520.tif 000008
【図７】
2014108520.tif 000009
【図８】
2014108520.tif 000010
【図９】
2014108520.tif 000011
【図１０】
2014108520.tif 000012
【図１１】
2014108520.tif 000013
【図１２】
2014108520.tif 000014